(57)【要約】本発明は、衛生用品、特におむつまたは失禁用品を使用者に装着した状態で取り外し可能に留めるための衛生用品用留め具（２）に関する。留め具（２）は第１の方向すなわち縦断方向（１２）と、第２の方向すなわち横断方向（１４）を有する。留め具は連続ウェブから縦断方向区間の形に切断分離され、留め具は機械的に作用する留め要素（２８）と、第１の支持層（６）の第１の区間（４）と、第２の支持層（１０）の第２の区間（８）とを備える。この第２の区間は横断方向（１４）において第１の区間（４）の隣に配置され、かつこの第１の区間に連結される。第１の区間（４）は第１の範囲（２２）を備え、この第１の範囲によって留め具は衛生用品に取付け可能である。第２の区間（８）は第２の範囲（２６）を備え、この第２の範囲は横断方向（１４）において第１の区間（４）の外側に配置される。この第２の範囲内に機械的に作用する留め要素（２８）が設けられる。留め具は縦断方向（１２）に折り畳まれている。留め具の取扱操作性の改善のために、留め具は縦断方向（１２）に延在する折り目（３２，３４）によってＺ字状に折り畳まれ、機械的に作用する留め要素（２８）を有する第２の範囲（２６）が横断方向（１４）にて、Ｚ字状折り畳み形状の部分（３５）の外側に位置している。
2004538091.tif 000002
【特許請求の範囲】
【請求項１】
衛生用品、特におむつまたは失禁用品を、使用者に装着した状態で取り外し可能に留めるための衛生用品用留め具（２）であって、留め具（２）が第１の方向すなわち縦断方向（１２）と、第２の方向すなわち横断方向（１４）を有し、留め具が連続ウェブから縦断方向区間の形に切断分離され、留め具が機械的に作用する留め要素（２８）と、第１の支持層（６）の第１の区間（４）と、第２の支持層（１０）の第２の区間（８）とを備え、この第２の区間が横断方向（１４）において第１の区間（４）の隣に配置され、かつこの第１の区間に連結され、第１の区間（４）が第１の範囲（２２）を備え、この第１の範囲によって留め具が衛生用品に取付け可能であり、第２の区間（８）が第２の範囲（２６）を備え、この第２の範囲が横断方向（１４）において第１の区間（４）の外側に配置され、この第２の範囲内に機械的に作用する留め要素（２８）が設けられ、留め具が縦断方向（１２）に折り畳まれている、留め具において、留め具が縦断方向（１２）に延在する折り目（３２，３４）によってＺ字状に折り畳まれていることと、機械的に作用する留め要素（２８）を有する第２の範囲（２６）が横断方向（１４）において、Ｚ字状折り畳み形状の部分（３５）の外側に位置していることを特徴とする留め具。
【請求項２】
縦断方向（１２）に延在する折り目（３４）の少なくとも一部区間が、第１と第２の区間（４，８）の間の材料移行部に沿って延在していることを特徴とする、請求項１記載の留め具。
【請求項３】
折り目（３４）が第２の区間（８）の縦断方向縁部（３８）に沿って延在していることを特徴とする、請求項２記載の留め具。
【請求項４】
第１と第２の区間（４，８）が横断方向（１４）において重なり合い、この重ね合わせ範囲（１６）において接合されていることを特徴とする、請求項１，２または３記載の留め具。
【請求項５】
縦断方向（１２）に延在する折り目（３２）が第１の範囲（２２）の縦断方向縁部（３６）に沿って延在していることを特徴とする、請求項４記載の留め具。
【請求項６】
折り目（３２）が第１の範囲（２２）内の接着剤被覆部（２４）の縦断方向縁部（３６）に沿って延在していることを特徴とする、請求項４または５記載の留め具。
【請求項７】
第２の支持層（１０）が実質的に非弾性的な材料を含み、横断方向（１４）にほぼ伸長しないように形成されていることを特徴とする、請求項１〜６のいずれか一つまたは複数に記載の留め具。
【請求項８】
第１の支持層（６）が少なくとも横断方向（１４）に弾性的伸長性材料を含み、横断方向（１４）に弾性的に伸長するように形成されていることを特徴とする、請求項１〜７のいずれか一つまたは複数に記載の留め具。
【請求項９】
第１の範囲（２２）が接着するように形成されていることを特徴とする、請求項１〜８のいずれか一つまたは複数に記載の留め具。
【請求項１０】
Ｚ字状折り畳み形状の部分（３５）がそれ自体で形状固定されていることを特徴とする、請求項１〜９のいずれか一つまたは複数に記載の留め具。
【請求項１１】
Ｚ字状折り畳み形状の部分（３５）が、それぞれ１ｍｍ2 よりも小さな横断面積を有する１〜１０個、特に３〜５個の独立した固定点によって、それ自体で形状固定していることを特徴とする、請求項１０記載の留め具。
【請求項１２】
連続ウェブから縦断方向区間（９０）を横断方向（１４）に切断分離する際に、切断縁部において、重なるように折り畳まれた層の繊維がその下に配置された層内に編み込まれるかまたは押し込まれることにより、Ｚ字状折り畳み形状の部分（３５）がそれ自体で形状固定されていることを特徴とする、請求項１０または１１記載の留め具。
【請求項１３】
使用者の指で持つための範囲（４４）が、横断方向（１４）において第２の範囲（２６）の外側にかつ第１の区間（４）とは反対の第２の範囲（２６）の側に設けられていることを特徴とする、請求項１１または１２記載の留め具。
【請求項１４】
持つための範囲（４４）が第２の区間（８）の第２の支持層（１０）自体によって形成されていることを特徴とする、請求項１３記載の留め具。
【請求項１５】
縦断方向の長さが２〜１０ｃｍ、特に５〜７ｃｍであることを特徴とする、請求項１４記載の留め具。
【請求項１６】
第１の範囲（２２）の縦断方向縁部（６）と第２の区間（８）に対する材料移行部との間の弾性的に形成された範囲内の、横断方向（１４）における第１の区間（４）の長さが、０．５〜４．５ｃｍ、特に２〜３ｃｍであることを特徴とする、請求項１５記載の留め具。
【請求項１７】
機械的に作用する留め要素（２８）を備えた第２の範囲（２６）の横断方向（１４）の長さが、０．５〜２．１ｃｍ、特に１〜１．５ｃｍであることを特徴とする、請求項１６記載の留め具。
【請求項１８】
横断方向（１４）における持つための範囲（４４）の長さが、０．５〜２．０ｃｍ、特に０．８〜１．５ｃｍであることを特徴とする、請求項１７記載の留め具。
【請求項１９】
特に接着するように形成された第１の区間（４）の第１の範囲（２２）の横断方向（１４）の長さが、Ｚ字状折り畳み形状の部分（３５）の幅にほぼ一致していることを特徴とする、請求項１８記載の留め具。
【請求項２０】
第１の範囲（２２）と第２の範囲（２６）が連続ウェブの同じ側（２０）に設けられていることを特徴とする、請求項１９記載の留め具。
【請求項２１】
第１の範囲（２２）と第２の範囲（２６）が折り畳まれた留め具の同じ表面側に設けられるように、Ｚ字状の折り畳みが行われていることを特徴とする、請求項２０記載の留め具。
【請求項２２】
Ｚ字状折り畳み形状の部分（３５）のウェブ平面について垂直方向の厚さが、機械的に作用する留め要素（２８）を有する第２の範囲（２６）の範囲内の第２の区間（８）の厚さよりも大きいことを特徴とする、請求項２１記載の留め具。
【請求項２３】
縦断方向区間として連続ウェブから横断方向に切断分離される、請求項１〜２１のいずれか一つまたは複数に記載の留め具を製作するための連続ウェブにおいて、Ｚ字状折り畳み形状の部分（３５）を有する連続ウェブがロールの形に巻き取られていることを特徴とする連続ウェブ。
【請求項２４】
巻きの幅（Ｂ）が留め具（２）の横断方向（１４）の長さになるように、連続ウェブが巻き取られていることを特徴とする、請求項２３記載の連続ウェブ。
【請求項２５】
巻きの幅（Ｂ′）が留め具（２）の横断方向（１４）の長さよりも大きくなるように、連続ウェブが交叉して巻き取られていることを特徴とする、請求項２３記載の連続ウェブ。
【請求項２６】
少なくとも第１の区間（４）の第１の範囲（２２）に、接着剤被覆部（２４）が設けられていることと、連続ウェブを巻き取る際に、第１の範囲（２２）の接着剤被覆部（２４）が第２の区間（８）上に位置し、巻き戻す際に容易に剥離可能であることを特徴とする、請求項２３，２４または２５記載の連続ウェブ。
【発明の詳細な説明】
【技術分野】
【０００１】
本発明は、衛生用品、特におむつまたは失禁（インコンチネンス）用品を、使用者に装着した状態で取り外し可能に留めるための衛生用品用留め具に関し、更に詳しくは、留め具に第１の方向すなわち縦断方向と、第２の方向すなわち横断方向があり、留め具が連続ウェブから縦断方向区間の形に切断分離され、留め具が機械的に作用する留め要素と、第１の支持層の第１の区間と、第２の支持層の第２の区間とを備え、この第２の区間が横断方向において第１の区間の隣に配置され、かつこの第１の区間に連結され、第１の区間が第１の範囲を備え、この第１の範囲によって留め具が衛生用品に取付け能であり、第２の区間が第２の範囲を備え、この第２の範囲が横断方向において第１の区間の外側に配置され、この第２の範囲内に機械的に作用する留め要素が設けられ、留め具が縦断方向に折り畳まれている、留め具に係る。
【背景技術】
【０００２】
このような留め具は例えば特許文献１と特許文献２によって公知である。
【０００３】
更に、接着性留め要素を備えた、上記種類ではない留め具が特許文献３によって知られている。この留め具は上記の残りの特徴を備え、Ｚ字状に折り畳まれている。折畳みは、接着するように形成された範囲が上下に位置するように行われている。
【０００４】
【特許文献１】
ＷＯ９５／１６４２５
【特許文献２】
欧州特許出願公開第０６６９１２１号公報
【特許文献３】
米国特許第４，２３７，８９０号明細書
【発明の開示】
【発明が解決しようとする課題】
【０００５】
上記の公知のいろいろな留め具から出発して、本発明の課題の一つは、冒頭に述べた種類の留め具を、次の観点から改良することである。
【０００６】
留め具が衛生用品の製造プロセスで衛生用品に取付けられるときに常に、留め具を取付け位置に保持しなければならないという問題がある。特に衛生用品が取付け後往々にして複雑な形に折り畳まれて包装されるときに、この問題が生じる。衛生用品の製造中のこの後続の取り扱い操作の際に、しばしば、留め具が剥がれたり、折畳み部が開くという問題がある。この点の改良も本発明の課題の一つである。
【０００７】
更に、留め具の取り扱い操作と、しかも衛生用品への取付けの前と取付け中の取り扱い操作と、取付け自体を簡単にすることが望まれる。この場合、多数の留め具が占める容積をできるだけ小さくすることが望まれる。
【課題を解決するための手段】
【０００８】
この課題は冒頭に述べた留め具において本発明により、留め具が縦断方向に延在する折り目によってＺ字状に折り畳まれていることと、機械的に作用する留め要素を有する第２の範囲が横断方向において、Ｚ字状折り畳み形状の部分の外側に位置していることによって解決される。
【０００９】
本発明によって、機械的に作用する留め要素がＺ字状折り畳み形状の部分の外側に位置するように、Ｚ字状の折畳みを行い、かつ機械的に作用する留め要素を第２の支持層の第２の区間内に設けることが提案される。これは留め具の製造の際、留め具の取り扱い操作の際および衛生用品への留め具の取付けの際に、いろいろな利点をもたらす。ほとんどがフック／ループ材料の一方の要素によって形成される機械的に作用する留め要素が、Ｚ字状折り畳み形状の部分の外側に位置することにより、留め具を規定通りに衛生用品に使用する際に、折り畳まれた留め具の開きが妨げられることがない。他の利点は、機械的に作用する留め要素を、厚さ方向において邪魔にならないよう形成し、留め要素の範囲における留め具の第２の区間の厚さがＺ字状折り畳み形状の部分の範囲よりも厚くならないように形成可能であることにある。更に、機械的に作用する留め要素は、衛生用品に留め具を取付けた状態で、留め具の剥離防止が達成されるように、衛生用品の表面に付着させることが可能である。機械的に作用する留め具の留め要素が例えばフック／ループ材料のフック形成要素として形成されていると、フックは液体を通さない外側層の繊維の外側被覆部あるいは衛生用品の内側の繊維要素に付着させることが可能である。
【００１０】
本発明の他の実施形では、縦断方向に延在する折り目の少なくとも一部区間が、第１と第２の区間の間の材料移行部に沿って延在している。この材料移行部とは、例えば第１の支持層と第２の支持層の間の重ね合わせ範囲であると理解される。しかし、第１と第２の支持層が突き合わせてあるいは比較的に小さな間隔をおいて配置され、特に帯状の第３の連結要素によって互いに連結されることが考えられる。このような場合、上記の折り目は第１または第２の区間とこの連結要素の間の材料移行部に沿って延在する。これによって、折畳みが簡単化され、Ｚ字状折り畳み形状の部分の範囲の厚さが薄くなる。折り目が第２の区間の縦断方向縁部に沿って延在していると有利である。これは特に、第１と第２の区間が（折畳みの前に既に）横断方向において重なり合い、この重ね合わせ範囲において任意の方法で接合されているときに有利であることが判った。接合方法としては、他の接合材料を含むかまたは含まないで材料を連結する、広い意味での溶着法または接着法が使用可能である。
【００１１】
更に、Ｚ字状の折畳みを行うために、縦断方向に延在する他の折り目が第１の範囲の縦断方向縁部に沿って延在していることが提案される。留め具の第１の区間がこの第１の範囲によって衛生用品に取付け可能である。この範囲が接着剤被覆部、例えば厚さ方向に塗布された永久接着剤被覆部または圧感接着剤によって形成されると有利である。従って、他の折り目の少なくとも一部がこの第１の範囲の縦断方向縁部に沿って延在していると有利である。
【００１２】
更に、第２の支持層が実質的に非弾性的な材料を含み、横断方向にほぼ伸長しないように形成されていると有利であることが判った。例えば、第２の支持層が熱可塑性材料および／またはフリース（繊維の集積層）材料によって形成可能であり、この材料は特に熱で連結され、例えば個々独立している複数の接着点によって形成された溶着模様または型押し模様を有する。しかし、少なくとも横断方向において実質的に伸長しないフィルム層であってもよい。
【００１３】
留め具の第１の区間を形成する第１の支持層は、少なくとも横断方向に弾性的伸長性材料を含み、この横断方向に弾性的に伸長するように形成されている。弾性的伸長性材料とは、引張り力を加えたときに、元の寸法の１．２倍に伸長し、引張り力を取り除いた後で、伸長の少なくとも半分が再び元に戻るように収縮するウェブ材料であると理解される。更に大きく弾性的に収縮する材料が知られていて、第１の支持層として使用するために有利である。
【００１４】
この弾性的に伸長する第１の支持層の特性を達成するために、弾性的なフリース材料または１層または複数層のフリース層を有するいわゆる「ストレッチボンド(Stretchbond) 積層体」が使用されると有利である。
【００１５】
本発明の他の実施形では、Ｚ字状折り畳み形状の部分がそれ自体で形を固定されている。これは特に、接着点または溶着点または針止めプロセスによって達成可能である。Ｚ字状折り畳み形状の部分が、１〜１０個、特に３〜５個の独立した固定点によって分離可能に形を安定化され、固定点がそれぞれ１ｍｍ2 よりも小さな横断面積によって形成されていると合目的である。
【００１６】
きわめて重要な他の発明思想によれば、連続ウェブから縦断方向区間を横断方向に切断分離する際に、その際生じる切断縁部において、重なるように折り畳まれた層の繊維がその下に配置された層内に編み込まれるかまたは押し込まれることにより、すなわち一方の層から部分的に引き出され、他方の層に挿入されることにより、Ｚ字状折り畳み形状の部分がそれ自体で形を固定されている。縦断方向区間を切断分離する際に、特に「圧潰切断」を行うことによって、一方の層の繊維が、切断方向においてその下に配置された層内に引き入れられる。この「圧潰切断」は好ましくは、付勢されているカッターまたは少しだけ可撓的に支承されたカッターによって行われる。このカッターは好ましくは回転するロール上に配置され、切断を行う際に逆圧ロールに適当に押圧接触可能である。この逆圧ロール上をウェブが案内され、逆圧ロールはカッターのためのウェブ支持台を形成している。
【００１７】
他の本発明思想によれば、使用者の指で持つための範囲が、横断方向において第２の範囲の外側にかつ第１の区間とは反対側の第２の範囲に設けられている。この持つための範囲には留め要素は設けられていない。持つための範囲が第２の区間の第２の支持層自体によって形成されていると有利である。
【００１８】
本発明による留め具とその構成部品の有利な寸法は従属請求項に記載されている。この場合、記載した値はＺ字状に折り畳む前の状態の寸法である。
【００１９】
更に、本発明による留め具の製造時および取り扱い操作時に、第１の範囲と第２の範囲が連続ウェブの同じ側に設けられていると有利であることが判った。第１の範囲と第２の範囲が折り畳まれた留め具の同じ側である表面側に設けられるように、Ｚ字状の折り畳みが行われている。
【００２０】
本発明は更に、縦断方向区間として連続ウェブから横断方向に切断分離される、本発明による上記の留め具を製作するための連続ウェブに関する。この連続ウェブはＺ字状折り畳み形状の部分を有する連続ウェブがロールの形に巻き取られていることを特徴とする。
【００２１】
その際、巻きの幅が留め具の横断方向の長さになるように、連続ウェブが巻き取られているかあるいは巻きの幅が留め具の横断方向の長さよりも大きくなるように、連続ウェブが交差して巻き取られている。
【００２２】
本発明による留め具と、本発明による無端ウェブ巻取りの利点は、機械的に形成された留め要素を第２の範囲に備えた留め具の第２の区間が邪魔になるように厚く形成されないで、留め要素の範囲におけるこの第２の区間の厚さが、Ｚ字状折り畳み形状の部分の範囲の留め具の厚さよりも薄いかまたはほぼこの厚さに一致するように選定されていることにある。
【００２３】
きわめて有利な他の発明思想に従って、留め具がそれぞれ第１の範囲に接着剤被覆部を備え、巻取りの際に、第１の範囲の接着剤が第２の区間上に位置し、巻き戻す際に容易に剥離可能である有利である。この接着剤被覆部はリリース被覆部を備えていてもよい。これは付加的な層の使用を意味する。接着剤被覆部自体が影響を受けることなく、第１の範囲の接着剤を容易に剥離することできるように、接着剤被覆部と、好ましくは縦断方向に連続する第２の区間の帯状範囲またはその表面が形成されていると有利であることが判った。
【００２４】
互いに連結される留め具の第１の区間と第２の区間について次の点を指摘しておく。留め具が第１と第２の区間の代わりに、一体に形成されているときにも、留め要素を支持する第２の範囲を、横断方向においてＺ字状折り畳み形状の部分の外側に配置すると共に、Ｚ字状の折り畳みを行うことは、発明を構成すると見なされる。
【発明を実施するための最良の形態】
【００２５】
本発明の他の特徴、詳細および効果は、添付の特許請求の範囲と、図面と、本発明による留め具の好ましい実施の形態の次の説明とから明らかである。
【００２６】
図１，２は全体を参照符号２で示した本発明による留め具を示す。留め具２は第１の支持層６の第１の区間４と、第２の支持層１０の第２の区間８を含む。
【００２７】
留め具２は無端のウェブから縦断方向区間として切断分離されている。この場合、連続ウェブは第１の方向である縦断方向１２に延在している。第２の区間８は横断方向１４において第１の区間４の隣に配置されている。図示の場合、第１の区間４と第２の区間８は互いに重なり合い、重ね合わせ範囲１６を形成している。この重ね合わせ範囲において、両区間４，８は接着剤１８を介して、溶着個所を介してまたはその他の方法で分離不能に互いに連結されている。
【００２８】
第１の区間４の第１の表面２０には、第１の範囲２２が設けられている。この第１の範囲は接着剤被覆部２４を有し、この接着剤被覆部によって留め具が衛生用品に取付け可能である。
【００２９】
第２の区間８の第２の範囲２６には、機械的に作用する留め要素２８、特にフック／ループ材料のフック形成要素の形をした留め要素が、特に接着剤３０によって接着されて設けられている。第２の範囲２６は好ましくは、第１の範囲２２と同じ、留め具２の表面２０に設けられている。
【００３０】
更に、第１のと第２の折り目３２，３４を図２に示し、図３から明らかである。留め具がこの折り目を中心に縦断方向１２にＺ字状に折り畳まれるので、図３に示す形状部分３５が生じる。第１の折り目３２が第１の範囲２２内の接着剤被覆部２４の縦断方向縁部３６に沿って延在していると有利である。第２の折り目３４が第１の区間４と第２の区間８の間の材料移行部に沿って、すなわち重ね合わせ範囲１６の一方の縁部３８に沿って延在していると有利である。
【００３１】
図３から判るように、第２の区間８の第２の範囲２６は、重ね合わせ範囲１６からあるいは第１の区間４と第２の区間８の間のその他の材料移行部範囲から離隔されている。この離隔は、第２の範囲２６が横断方向１４において、留め具２のＺ字状折り畳み形状の部分３５の外側に位置するように行われる。これは複数の観点から有利である。図示の場合、第２の範囲２６ひいては機械的に作用する留め要素２８の、第１の区間４寄りの縦断方向縁部４０は、横断方向１４において、Ｚ字状折り畳み形状の部分３５の第１の折り目３２にほぼ達している。しかし、機械的に作用する留め要素２８またはその縦断方向縁部４０が留め具のＺ字状折り畳み形状の部分３５から数ミリメートルの間隔を有するように、第２の区間８に関して第２の範囲２６を位置決めしてもよい。
【００３２】
留め具の感圧接着剤２４が衛生用品の第１の範囲２２に塗布されていると、既に述べたように、機械的に作用する留め要素２８を備えた第２の範囲２６はＺ字状折り畳み形状の部分３５の外側に配置され、それによって留め具または第２の区間８を衛生用品の繊維表面に固定するために役立つ。第２の区間８のこの固定は、製作中および包装中に留め具を連結固定する働きをする。この連結固定は、衛生用品を使用者に装着するまで行われ、この装着の時点で連結が解除される。そして、使用者はその指を、衛生用品の表面と、持つための範囲４４としての働きをする第２の区間８の自由端範囲４２との間に入れる。
【００３３】
第１の区間４は横断方向１４に弾性的に伸長するように形成され、第２の区間８は横断方向１４に実質的に伸長しないように形成されている。
【００３４】
第１の範囲２４の接着剤被覆部と、第２の範囲２６の機械的に作用する留め要素は、第１の支持層６と第２の支持層８の連続ウェブ上に縦断方向１２に連続して無端に塗布または取付けられている。第１と第２の支持層６，８は同様に、無端の帯状接着剤１８によってあるいはその他の方法で縦断方向に連続的に相互連結されている。例えばヨーロッパ特許出願公開第０６６９１２１号公報によって知られているように、二つの支持層を鏡像対称的にかつ縦断方向においてｎ／２だけずらして同時に製作できる。
【００３５】
図４，５はそれぞれ、縦断方向区間として横断方向１４にまだ分離されていない巻き取られた形の留め具を備えた連続ウェブを示す。この場合、図５は交差巻取りを示す。この交差巻取りの場合、巻きの幅が個々の留め具２のそれぞれの幅または横断方向長さよりもはるかに大きい。これによって、全体として大きな巻取り安定性が達成され、１個のロールに多量の留め具を巻き取り可能であり、製造プロセスのために多量の留め具の在庫が可能である。
【００３６】
Ｚ字状に折り畳まれた形３５になるように留め具２を固定するために、個々独立した複数の固定点、例えば溶着点を設けてもよい。この固定点はＺ字状に重ねて折り畳まれた留め具２の層を互いに分離可能に連結する。しかし、この要求を満足する、Ｚ字状折り畳み形状の部分３５の固定が次のようにして達成可能であることが判った。すなわち、それぞれの留め具を形成する縦断方向区間を連続ウェブから切断分離する際に、上下に配置されＺ字状に折り畳まれた層の繊維が、その都度その下に位置する層内に引き入れられ、それによってＺ字状の形状部分３５を分離可能にそれ自体で固定する一種の針止め効果が生じることによって達成可能であること判った。これは図６に示す。
【００３７】
図７は、連続ウェブ９２から縦断方向区間９０を切断分離するための切断装置を概略的に示す。この連続ウェブは留め具を形成するために既に、Ｚ字状折り畳み形状の部分を備えている。切断装置はアンビルロール９４とカッターロール９６を備えている。このアンビルロール上に連続ウェブ９２が案内される。カッターロールは切刃１００を有するカッター９８を備え、このカッターは付勢され、浮動状態で支承されているかあるいはそれ自体が可撓性である。切断するために、カッター９８の切刃１００がアンビルロール９４の表面に接触し、少しだけ可動なように、カッターロール９６はアンビルロール９４と相対的に位置決めされている。連続ウェブ９２の比較的に短い周範囲にわたって、カッター９８の切刃１００が連続ウェブに当たる。これによって、単なる剪断と異なり、上下に配置された層の繊維が、この「圧潰切断」を行う際に、一方の層からずらして若干引き出し、その下にある層内に引き入れられて押しつぶされるかまたはからみつけられる。従って、切断された縦断方向区間９０内で、Ｚ字状に上下に折り畳まれた層は少なくとも少しだけ互いに連結され、それによって折り畳まれた状態が開くことがない。
【図面の簡単な説明】
【００３８】
【図１】本発明による留め具の実施の形態の断面図である。
【図２】図１の留め具の平面図である。
【図３】図１と図２のＺ字状に折り畳まれた留め具の断面図である。
【図４】ロールの形に巻き取られる連続ウェブの斜視図である。
【図５】ロールの形に交叉巻き取りされる連続ウェブの斜視図である。
【図６】Ｚ字状に折り畳まれた留め具の反射光型顕微鏡で見た切断縁部の写真である。
【図７】Ｚ字状に折り畳まれた留め具を切断分離するための切断装置の概略図である。
【国際公開パンフレット】
2004538091.tif 000003
2004538091.tif 000004
2004538091.tif 000005
2004538091.tif 000006
2004538091.tif 000007
2004538091.tif 000008
2004538091.tif 000009
2004538091.tif 000010
2004538091.tif 000011
2004538091.tif 000012
2004538091.tif 000013
2004538091.tif 000014
2004538091.tif 000015
2004538091.tif 000016
2004538091.tif 000017
2004538091.tif 000018
2004538091.tif 000019
2004538091.tif 000020
2004538091.tif 000021
2004538091.tif 000022
2004538091.tif 000023
2004538091.tif 000024
2004538091.tif 000025
【国際公開パンフレット（コレクトバージョン）】
2004538091.tif 000026
2004538091.tif 000027
【手続補正書】
【提出日】平成15年5月28日(2003.5.28)
【手続補正１】
【補正対象書類名】特許請求の範囲
【補正対象項目名】請求項２３
【補正方法】変更
【補正の内容】
【請求項２３】
衛生用品、特におむつまたは失禁用品を、使用者に装着した状態で取り外し可能に留めるための衛生用品用留め具を製作するための連続ウェブであって、留め具（２）が第１の方向すなわち縦断方向（１２）と、第２の方向すなわち横断方向（１４）を有し、前記留め具が連続ウェブから縦断方向区間の形に切断分離され、前記留め具が機械的に作用する留め要素（２８）と、第１の支持層（６）の第１の区間（４）と、第２の支持層（１０）の第２の区間（８）とを備え、この第２の区間が横断方向（１４）において第１の区間（４）の隣に配置され、かつこの第１の区間に連結され、第１の区間（４）が第１の範囲（２２）を備え、この第１の範囲によって留め具が衛生用品に取付け可能であり、第２の区間（８）が第２の範囲（２６）を備え、この第２の範囲が横断方向（１４）において第１の区間（４）の外側に配置され、この第２の範囲内に機械的に作用する留め要素（２８）が設けられ、前記留め具が縦断方向（１２）に折り畳まれ、前記留め具が縦断方向（１２）に延在する折り目（３２，３４）によってＺ字状に折り畳まれ、機械的に作用する留め要素（２８）を有する第２の範囲（２６）が横断方向（１４）において、Ｚ字状に折り畳まれた形状の部分（３５）の外側に位置し、留め具が縦断方向区間として連続ウェブから横断方向に切断される、連続ウェブにおいて、Ｚ字状に折り畳まれた形状の部分（３５）を有する連続ウェブがロールの形に巻き取られていることを特徴とする連続ウェブ。
【国際調査報告】
2004538091.tif 000028
2004538091.tif 000029
2004538091.tif 000030
2004538091.tif 000031
2004538091.tif 000032
2004538091.tif 000033
2004538091.tif 000034
2004538091.tif 000035